(57)【要約】【課題】尿取りパッドにて、弾性部材が伸縮可能な範囲を狭くしつつ、弾性部材が伸縮可能な範囲と伸縮しない等の範囲との境界領域での横漏れを抑制する。【解決手段】尿取りパッド１は、吸収体２１を備える吸収本体部２と、一対の防漏壁部４０、４０と、を具備する。防漏壁部は、吸収本体部に固定された基部４１と、基部に連接し起立する第１壁部４２と、第１壁部に連接し起立する第２壁部４３と、基部と前記第１壁部とを接合する第１接合部４４と、第１壁部と前記第２壁部とを接合する第２接合部４５と、複数の弾性部材ＥＬと、を備える。第２接合部は、接合本体部４５ｉと、接合本体部から長手方向に延設された接合延設部４５Ｏと、を含む。第２壁部は、弾性部材が長手方向に延在する伸縮領域ＳＥと、伸縮領域の両外側の非伸縮領域ＳＵと、を有する。接合延設部は、伸縮領域にて、長手方向の内方側に向かって所定長手方向長さで延設される。【選択図】図１
2019010446.tif 000002
【特許請求の範囲】
【請求項１】
長手方向、幅方向及び厚さ方向を有し、前記長手方向において腹部領域、股間部領域及び背部領域を有し、吸収体を備える吸収本体部と、前記吸収本体部の前記幅方向の両端部の各々に位置し、前記長手方向の両端部に亘って連続的に延在する一対の防漏壁部と、を具備する尿取りパッドであって、
前記一対の防漏壁部の各々は、
前記吸収本体部に対向し、少なくとも前記幅方向の外方側端縁が前記吸収本体部に固定された基部と、
前記基部における前記幅方向の内方側端縁に連接し、着用時に肌対向面側に向かって起立する第１壁部と、
前記第１壁部における前記幅方向の外方側端縁と連接し、着用時に肌対向面側に向かって起立する第２壁部と、
少なくとも前記腹部領域において、前記基部と前記第１壁部とを接合し、所定の幅方向長さを有し、前記長手方向において前記防漏壁部の端縁から内方側へ延びる第１接合部と、
少なくとも前記腹部領域において、前記第１壁部と前記第２壁部とを接合し、所定の幅方向長さを有し、前記長手方向において前記防漏壁部の端縁から内方側へ延びる第２接合部であって、前記長手方向において前記防漏壁部の端縁側に位置する接合本体部と、前記接合本体部における前記幅方向の外方側の部分から前記長手方向の内方側に延設された接合延設部と、を含む第２接合部と、
平面視にて、前記長手方向において前記腹部領域における前記接合本体部の内方側の端縁又はその内方側の位置から前記背部領域に延び、前記幅方向に並ぶように配置された複数本の弾性部材と、
を備え、
前記第２壁部は、前記複数本の弾性部材のうちの前記第２壁部に位置する弾性部材が前記長手方向に延在する伸縮領域と、前記伸縮領域の前記長手方向の両外側に位置する非伸縮領域と、を有し、
前記接合延設部は、前記伸縮領域の前記幅方向の外方側において、前記長手方向の内方側に向かって所定長手方向長さ延設されている、
尿取りパッド。
【請求項２】
前記吸収体は、平面視で、前記股間部領域において、前記吸収体の前記幅方向における両端縁が前記幅方向の内方側に向かって括れた括れ部を有しており、
前記括れ部の前記腹部領域側の端部は、前記長手方向の位置が前記接合延設部の前記長手方向の範囲と重なる領域に位置している、
請求項１に記載の尿取りパッド。
【請求項３】
前記複数本の弾性部材のうちの前記第２壁部に位置する弾性部材における前記腹部領域側の端部は、前記長手方向の位置が前記接合延設部の前記長手方向の範囲と重なる領域に位置している、
請求項１又は２に記載の尿取りパッド。
【請求項４】
前記吸収体は、前記厚さ方向において前記吸収体の表面から内部へ延び、前記長手方向に延設された開口部を有し、
前記開口部の少なくとも一部は、前記長手方向の位置が前記接合延設部の前記長手方向の範囲と重なる領域に位置している、
請求項１乃至３のいずれか一項に記載の尿取りパッド。
【請求項５】
前記吸収体は、前記長手方向に延びる幅方向中央軸線によって区画される幅方向第１領域及び幅方向第２領域の各々に配置され且つ肌対向面から前記厚さ方向に窪む一対のエンボス部を含み、
前記エンボス部における前記長手方向の前記腹部領域側の端部は、前記長手方向の位置が前記接合延設部の前記長手方向の範囲と重なる領域に位置している、
請求項１乃至４のいずれか一項に記載の尿取りパッド。
【請求項６】
前記伸縮領域は、前記幅方向の内方側の部分の方が、前記幅方向の外方側の部分よりも縮み易い、
請求項１乃至５のいずれか一項に記載の尿取りパッド。
【請求項７】
前記一対の防漏壁部の各々は、前記長手方向に沿って前記吸収本体部に接合された固定端部と、前記幅方向における前記固定端部と反対に位置し、前記吸収本体部に接合されていない自由端部とを有し、
前記複数本の弾性部材は、前記固定端側に位置する弾性部材の長手方向長さが、前記自由端側に位置する弾性部材の長手方向長さよりも長い、
請求項１乃至６のいずれか一項に記載の尿取りパッド。
【請求項８】
前記一対の防漏壁部の各々は、
前記背部領域において、前記基部と前記第１壁部を接合し、所定の幅方向長さを有し、前記長手方向において前記防漏壁部の端縁から内方側へ延び、前記第１接合部と前記長手方向に対向する第３接合部と、
前記背部領域において、前記第１壁部と前記第２壁部とを接合し、所定の幅方向長さを有し、前記長手方向において前記防漏壁部の端縁から内方側へ延び、前記第２接合部と前記長手方向に対向する第４接合部であって、前記長手方向において前記防漏壁部の端縁側に位置する背部接合本体部と、前記背部接合本体部における前記幅方向の外方側の部分から前記長手方向の内方側に延設された背部接合延設部と、を含む第４接合部と、
を更に備え、
前記複数本の弾性部材は、平面視にて、前記長手方向において前記背部領域における前記背部接合本体部の内方側の端縁又はその内方側の位置から前記腹部領域に延びており、
前記背部接合延設部は、前記伸縮領域の前記幅方向の外方側において、前記長手方向の内方側に向かって、所定長手方向長さ延設されている
請求項１乃至７のいずれか一項に記載の尿取りパッド。
【請求項９】
前記腹部領域における前記第２接合部の長手方向長さと、前記背部領域における前記第４接合部の長手方向長さと、の合計長さよりも、前記伸縮領域の長手方向長さは小さい、
請求項８に記載の尿取りパッド。
【請求項１０】
前記尿取りパッドは包装時に、前記長手方向の複数の折り位置で、前記幅方向に延びる折り線に沿って、折り畳まれており、
前記複数の折り位置のうち、最も前記腹部領域側の折り位置は、前記第２接合部の前記接合延設部の前記長手方向の内方側端縁よりも内方側にある、
請求項１乃至９のいずれか一項に記載の尿取りパッド。
【発明の詳細な説明】
【技術分野】
【０００１】
本発明は、尿取りパッドに関する。
【背景技術】
【０００２】
吸収体を備える吸収本体部と、一対の防漏壁と、を具備する吸収性物品が知られている。防漏壁は、吸収性物品の幅方向の端部からの尿などの排泄液の漏れ、すなわち横漏れを抑制するために、吸収本体部の幅方向の両端部の各々に位置し、長手方向の両端部に亘って連続的に延在し、着用者の肌面に向かって起立するように形成されている。このような防漏壁を有する吸収性物品としては、例えば特許文献１（特開２０１０−０９４３２１号公報）に開示された吸収性物品が挙げられる。
【０００３】
特許文献１の吸収性物品は、バックシートとトップシートとの間に吸収コアが配置された略シート状の本体部と、前記本体部の両側部上において前記本体部の長手方向のほぼ全長に亘って設けられた一対のサイドシートと、を備える。前記一対のサイドシートのそれぞれが、前記長手方向の全長に亘って設けられた折り曲げ線の一方側の部位であり、前記本体部に接合される帯状の接合部と、前記折り曲げ線の他方側の部位であり、前記折り曲げ線である前記接合部の前記長手方向に垂直な幅方向の内側のエッジにて前記幅方向の外側に向かって折り返され、さらに、前記幅方向の内側に向かって折り返されるとともに、一部が前記本体部から起立する側壁部と、を備える。前記側壁部が、前記長手方向の両端部において前記接合部上に固定される２つの側壁端部と、前記２つの側壁端部の間において前記２つの側壁端部から連続するとともに前記折り曲げ線から起立する起立部と、前記起立部の前記長手方向のほぼ全長に亘って配置され、収縮することにより前記起立部を収縮させてギャザーを形成する弾性部材と、備える。前記２つの側壁端部のうちの一方の側壁端部が、前記起立部から連続する部位であって、前記弾性部材が配置されるとともに前記接合部および前記本体部に非接合とされ、前記弾性部材が収縮することにより前記起立部よりも低く前記本体部から起立する半起立部と、前記幅方向において前記半起立部の外側に隣接するとともに前記接合部上に固定される固定部と、を備える。特許文献１によれば、この吸収性物品は吸収性物品の長手方向の端部近傍からの横漏れを防止できる、とされている。
【先行技術文献】
【特許文献】
【０００４】
【特許文献１】特開２０１０−０９４３２１号公報
【発明の概要】
【発明が解決しようとする課題】
【０００５】
吸収性物品において、横漏れをより抑制するために、防漏壁をより適切に起立させる方法としては、例えば防漏壁の弾性部材の伸縮の度合を高くする方法がある。ここで、尿取りパッドには、生理用ナプキンや、テープ止めおむつや、パンツ型おむつなどとは異なり、繰り返し利用される外装体に載置されて、固定されずに着用されるものがある。外装体に固定されない尿取りバッドの場合、尿取りパッドをパッケージから取り出して開いた状態（自然状態）が概ね着用時の形態となる。したがって、弾性部材の伸縮の度合を高めると、着用時に吸収本体部が長手方向に収縮し過ぎてしまい、吸収本体部が肌面から離れ易くなり、したがって適切に着用され難くなるおそれがある。また、尿取りパッドが長手方向に収縮し過ぎて小さく見えてしまい、着用者が不安を覚えるおそれもある。また、外装体に固定されて使用される尿取りバッドであっても、適切に固定されなかったり、着用者の動きが特異だったりして固定が外れてしまった場合には、適切に着用され難くなるおそれがある。これは、特許文献１の吸収性物品のような、横漏れ防止のために防漏壁を可能な限り長手方向の広い範囲（起立部及び半起立部）に設ける吸収性物品にも当てはまる。
【０００６】
そこで、本発明者は、一見横漏れの防止には不利とも考え得る、防漏壁における弾性部材が伸縮可能な範囲を狭くするという手法を用いることで、弾性部材が収縮し過ぎないようにしつつ、防漏壁をより適切に起立させる構造を検討した。この場合、吸収本体部が長手方向に収縮し過ぎることや、吸収本体部が肌面から離れることを抑制できる。また、尿取りパッドが長手方向に小さく見えることを抑制できる。
【０００７】
ただし、このように、防漏壁における弾性部材が伸縮可能な範囲を狭くすると、弾性部材の両端部近傍にて弾性部材の伸縮を支える、吸収本体部の領域の長手方向の幅が狭くなる。弾性部材の伸縮を支える吸収本体部の領域は、弾性部材が伸縮可能な範囲と弾性部材が存在しない又は伸縮しない範囲との境界領域に対応する、吸収本体部の境界部分である。その結果、吸収本体部の境界部分には、相対的に大きな力が加わることになり、吸収本体部の境界部分に、厚さ方向の上方側から下方側へ曲がる変形、すなわち肌対向面側から肌非対向面側へ窪んだ変形が生じてしまうおそれがある。そうなると、吸収本体部の境界部分の変形により、防漏壁の境界領域に変形が生じて、防漏壁が肌面に接触する力が弱くなったり、防漏壁と肌面との間に隙間が生じたりするおそれがある。また、防漏壁の境界領域は、防漏壁が起立し始める領域なので、起立の程度が小さくなる。これらの結果、着用時に、防漏壁が着用者の肌面に向かって起立しても、境界領域では、防漏壁が肌面に密着し難い状態が生じるおそれがある。
【０００８】
そこで、本発明の目的は、長手方向における弾性部材が伸縮可能な範囲を狭くしつつ、弾性部材が伸縮可能な範囲と弾性部材が存在しない又は伸縮しない範囲との境界領域における横漏れを抑制することが可能な尿取りパッドを提供することにある。
【課題を解決するための手段】
【０００９】
本発明の一態様（態様１）は、長手方向、幅方向及び厚さ方向を有し、前記長手方向において腹部領域、股間部領域及び背部領域を有し、吸収体を備える吸収本体部と、前記吸収本体部の前記幅方向の両端部の各々に位置し、前記長手方向の両端部に亘って連続的に延在する一対の防漏壁部と、を具備する尿取りパッドであって、前記一対の防漏壁部の各々は、前記吸収本体部に対向し、少なくとも前記幅方向の外方側端縁が前記吸収本体部に固定された基部と、前記基部における前記幅方向の内方側端縁に連接し、着用時に肌対向面側に向かって起立する第１壁部と、前記第１壁部における前記幅方向の外方側端縁と連接し、着用時に肌対向面側に向かって起立する第２壁部と、少なくとも前記腹部領域において、前記基部と前記第１壁部とを接合し、所定の幅方向長さを有し、前記長手方向において前記防漏壁部の端縁から内方側へ延びる第１接合部と、少なくとも前記腹部領域において、前記第１壁部と前記第２壁部とを接合し、所定の幅方向長さを有し、前記長手方向において前記防漏壁部の端縁から内方側へ延びる第２接合部であって、前記長手方向において前記防漏壁部の端縁側に位置する接合本体部と、前記接合本体部における前記幅方向の外方側の部分から前記長手方向の内方側に延設された接合延設部と、を含む第２接合部と、平面視にて、前記長手方向において前記腹部領域における前記接合本体部の内方側の端縁又はその内方側の位置から前記背部領域に延び、前記幅方向に並ぶように配置された複数本の弾性部材と、を備え、前記第２壁部は、前記複数本の弾性部材のうちの前記第２壁部に位置する弾性部材が前記長手方向に延在する伸縮領域と、前記伸縮領域の前記長手方向の両外側に位置する非伸縮領域と、を有し、前記接合延設部は、前記伸縮領域の前記幅方向の外方側において、前記長手方向の内方側に向かって所定長手方向長さ延設されている、尿取りパッドである。
【００１０】
本態様１の尿取りパッドは、第２壁部の伸縮領域おいて、複数本の弾性部材が長手方向に延び、幅方向に並ぶように配置されると共に、第２接合部の接合延設部が伸縮領域の幅方向の外方側の部分を所定長手方向長さだけ固定又は半固定している。したがって、伸縮領域では、幅方向の外方側の部分の長手方向長さが、幅方向の内方側の部分の長手方向長さよりも実質的に短くされている。このような構成により、第２壁部の伸縮領域において、幅方向の外方側の部分を長手方向に相対的に短い範囲で伸縮させ、内方側の部分を長手方向に相対的に長い範囲で伸縮させることができる。それにより、第２壁部を厚さ方向に、より適切に起立し易くすることができる。更に、第２接合部の接合延設部が、非伸縮領域から伸縮領域に延設されている。このような構成により、第２壁部における非伸縮領域から伸縮領域にわたる領域、すなわち境界領域において、その剛性を相対的に高くすることができる。それにより、吸収本体部が上方側から下方側へ曲がる変形が吸収本体部の境界領域に対応する境界部分に生じても、第２壁部の境界領域の変形を抑制することができるので、防漏壁部の肌対向面が肌面に接触する力が弱くなったり、防漏壁部の第２壁部の肌対向面側の表面と肌面との間に隙間が生じたりする、という事態を抑制でき、よって境界領域での排泄液の横漏れを抑制できる。更に、第２接合部の接合延設部が、非伸縮領域から伸縮領域に延設されつつ、第２壁部を第１壁部に接合させている。このような構成により、第２壁部における非伸縮領域から伸縮領域にわたる境界領域において、第２壁部の肌対向面側の表面が、吸収本体部の肌対向面側の表面と略平行な面状の形態を維持することができる。したがって、第２壁部の肌対向面側の表面と肌面との接触確率を増加できる。それにより、構造上、起立の程度が小さい境界領域において、仮に剛性を高めた第２壁部が変形して防漏壁部が肌面に接触する力が弱くなったり、部分的に肌面との間に隙間が生じてしまったりしても、第２壁部の肌対向面側の表面と肌面とがほぼ面で接触するので、排泄液が面を横断する間に面のいずれかの箇所で排泄液の移動を阻止することができる。よって、境界領域での排泄液の横漏れを抑制できる。このように、防漏壁部において、第２壁部をより適切に起立し易くして横漏れをより抑制しつつ、第２壁部の隙間の発生を抑えて肌面に沿い易くすると共に、第２壁部を肌面に面で接触させて接触確率を上げることで、横漏れを更に抑制することができる。
【００１１】
また、本発明の別の態様（態様２）では、上記態様１の尿取りパッドにおいて、前記吸収体は、平面視で、前記股間部領域において、前記吸収体の前記幅方向における両端縁が前記幅方向の内方側に向かって括れた括れ部を有しており、前記括れ部の前記腹部領域側の端部は、前記長手方向の位置が前記接合延設部の前記長手方向の範囲と重なる領域に位置している。
【００１２】
本態様２の尿取りパッドでは、吸収体における剛性が低い括れ部の端部は、長手方向の位置が接合延設部の長手方向の範囲と重なる領域に配置されている。すなわち、厚さ方向に変形し易い括れ部の端部が、接合延設部に対応する位置に設けられている。ここで、第２壁部における接合延設部を接合された部分の剛性は相対的に高くなっている。したがって、括れ部の端部に変形が起きたとしても、第２壁部が変形することを抑制でき、第２壁部の肌対向面側の表面と肌面との間に隙間が生じることを抑制でき、第２壁部の肌対向面側の表面を肌面の曲面に沿うように緩やかに変形可能とすることができる。
【００１３】
本発明の更に別の態様（態様３）では、上記態様１又は２の尿取りパッドにおいて、前記複数本の弾性部材のうちの前記第２壁部に位置する弾性部材における前記腹部領域側の端部は、前記長手方向の位置が前記接合延設部の前記長手方向の範囲と重なる領域に位置している。
【００１４】
本態様３の尿取りパッドでは、第２壁部に位置する弾性部材における腹部領域側の端部は、長手方向の位置が接合延設部の長手方向の範囲と重なる領域に位置している。そのため、その弾性部材の端部が長手方向における接合延設部よりも外方側にある場合と比較して、吸収本体部が厚さ方向に上方側から下方側へ曲がるときの、曲がり具合を相対的に緩やかにすることができる。それにより、吸収本体部における厚さ方向に曲がり得る部分において、第２壁部が変形して防漏壁（第２壁部）の肌対向面側の表面と肌面との間に隙間が生じることをより抑制し、第２壁部の肌対向面側の表面を肌面の曲面に沿うようにより緩やかに変形可能にできる。
【００１５】
本発明の更に別の態様（態様４）では、上記態様１乃至３のいずれかの尿取りパッドにおいて、前記吸収体は、前記厚さ方向において前記吸収体の表面から内部へ延び、前記長手方向に延設された開口部を有し、前記開口部の少なくとも一部は、前記長手方向の位置が前記接合延設部の前記長手方向の範囲と重なる領域に位置している。
【００１６】
本態様４の尿取りパッドでは、吸収体が開口部（貫通孔の場合を含む）を有し、開口部の少なくとも一部は、長手方向の位置が接合延設部の長手方向の範囲と重なる領域に位置している。すなわち、剛性が低く、変形し易い、吸収体における開口部を含む部分の少なくとも一部が、接合延設部に対応する位置に設けられている。ここで、第２壁部における接合延設部を接合された部分の剛性は相対的に高くなっている。したがって、吸収体における開口部を含む部分に変形が起きたとしても、第２壁部が変形することを抑制でき、第２壁部の肌対向面側の表面と肌面との間に隙間が生じることを抑制でき、第２壁部の肌対向面側の表面を肌面の曲面に沿うように緩やかに変形可能とすることができる。
【００１７】
本発明の更に別の態様（態様５）では、上記態様１乃至のいずれかの尿取りパッドにおいて、前記吸収体は、前記長手方向に延びる幅方向中央軸線によって区画される幅方向第１領域及び幅方向第２領域の各々に配置され且つ肌対向面から前記厚さ方向に窪む一対のエンボス部を含み、前記エンボス部における前記長手方向の前記腹部領域側の端部は、前記長手方向の位置が前記接合延設部の前記長手方向の範囲と重なる領域に位置している。
【００１８】
本態様５の尿取りパッドでは、吸収体が一対のエンボス部を含み、エンボス部における長手方向の腹部領域側の端部は、長手方向の位置が接合延設部の長手方向の範囲と重なる領域に位置している。すなわち、エンボス部と比較して剛性が低く、変形し易い、エンボス部の長手方向の端部の外方側の部分が、接合延設部に対応する位置に設けられている。ここで、第２壁部における接合延設部を接合された部分の剛性は相対的に高くなっている。したがって、エンボス部の長手方向の端部の外方側の部分に変形が起きたとしても、第２壁部が変形することを抑制でき、第２壁部の肌対向面側の表面と肌面との間に隙間が生じることを抑制でき、第２壁部の肌対向面側の表面を肌面の曲面に沿うように緩やかに変形可能とすることができる。
【００１９】
本発明の更に別の態様（態様６）では、上記態様１乃至５のいずれかの尿取りパッドにおいて、前記伸縮領域は、前記幅方向の内方側の部分の方が、前記幅方向の外方側の部分よりも縮み易い。
【００２０】
本態様６の尿取りパッドでは、伸縮領域は、幅方向の内方側の部分の方が、幅方向の外方側の部分よりも縮み易い。それにより、第２壁部における幅方向の内方側の部分を幅方向の外方側の部分に対して起立させ易くできる。したがって、第２壁部を起立し易くでき、起立構造を維持し易くできる。
【００２１】
本発明の更に別の態様（態様７）では、上記態様１乃至６のいずれかの尿取りパッドにおいて、前記一対の防漏壁部の各々は、前記長手方向に沿って前記吸収本体部に固定的に接合された固定端部と、前記幅方向における前記固定端部と反対に位置する自由端部とを有し、前記複数本の弾性部材は、前記固定端部側に位置する弾性部材の長手方向長さが、前記自由端部側に位置する弾性部材の長手方向長さよりも長い。
【００２２】
本態様７の尿取りパッドでは、複数本の弾性部材は、固定端部側に位置する弾性部材の長手方向長さが、自由端部側に位置する弾性部材の長手方向長さよりも長い。そのため、防漏壁部の幅方向における外方側の部分においては、第１壁部及び第２壁部による起立構造を維持し易く、幅方向の外方側へ向かう排泄液に対する耐久性をより確保することができる。また、防漏壁部の幅方向における内方側部分においては、変形や移動の自由度が高く、防漏壁部を着用者の身体形状（股間部の形状）に追従させながら密着させ易くすることができる。これにより、本尿取りパッドは、防漏壁部の防漏機能を良好に発揮させることができる。
【００２３】
本発明の更に別の態様（態様８）では、上記態様１乃至７のいずれかの尿取りパッドにおいて、前記一対の防漏壁部の各々は、前記背部領域において、前記基部と前記第１壁部を接合し、所定の幅方向長さを有し、前記長手方向において前記防漏壁部の端縁から内方側へ延び、前記第１接合部と前記長手方向に対向する第３接合部と、前記背部領域において、前記第１壁部と前記第２壁部とを接合し、所定の幅方向長さを有し、前記長手方向において前記防漏壁部の端縁から内方側へ延び、前記第２接合部と前記長手方向に対向する第４接合部であって、前記長手方向において前記防漏壁部の端縁側に位置する背部接合本体部と、前記背部接合本体部における前記幅方向の外方側の部分から前記長手方向の内方側に延設された背部接合延設部と、を含む第４接合部と、を更に備え、前記複数本の弾性部材は、平面視にて、前記長手方向において前記背部領域における前記背部接合本体部の内方側の端縁又はその内方側の位置から前記腹部領域に延びており、前記背部接合延設部は、前記伸縮領域の前記幅方向の外方側において、前記長手方向の内方側に向かって、所定長手方向長さ延設されている。
【００２４】
本態様８の尿取りパッドでは、上記構成を有することにより、背部領域側においても、第２壁部の伸縮領域において、幅方向の外方側の部分を長手方向に短い範囲で伸縮させ、内方側の部分を長手方向に長い範囲で伸縮させることができる。それにより、第２壁部を厚さ方向に、より適切に起立し易くすることができる。また、背部領域側において、境界領域の剛性を相対的に高くでき、それにより、吸収本体部が上方側から下方側へ曲がる変形が吸収本体部の境界領域に対応する境界部分に生じても、第２壁部の境界領域の変形を抑制することができるので、防漏壁部の肌対向面が肌面に接触する力が弱くなったり、防漏壁部の第２壁部の肌対向面側の表面と肌面との間に隙間が生じたりすることを抑制でき、よって境界領域での排泄液の横漏れを抑制できる。更に、背部領域において、構造上、起立が小さい境界領域において、仮に剛性を高めた第２壁部が変形して防漏壁部が肌面に接触する力が弱くなったり、部分的に肌面との間に隙間が生じてしまっても、第２壁部の肌対向面側の表面と肌面とがほぼ面で接触するので、排泄液が面を横断する間に面のいずれかの箇所で排泄液の移動を阻止することができる。よって、境界領域での排泄液の横漏れを抑制できる。このように、防漏壁部では、腹部領域側だけでなく、背部領域側においても、第２壁部をより適切に起立し易くして横漏れを抑制しつつ、第２壁部の隙間の発生を抑えて肌面に沿いやすくすると共に、第２壁部を肌面に面で接触させて接触確率を上げることで、横漏れを更に抑制することができる。
【００２５】
本発明の更に別の態様（態様９）では、上記態様８の尿取りパッドにおいて、前記腹部領域における前記第２接合部の長手方向長さと、前記背部領域における前記第４接合部の長手方向長さと、の合計長さよりも、前記伸縮領域の長手方向長さは小さい。
【００２６】
本態様９の尿取りパッドにおいて、第２接合部の長手方向長さと第４接合部の長手方向長さとの合計長さよりも、伸縮領域の長手方向長さの方が小さい。そのため、尿取りパッドが着用時に収縮し過ぎることを抑制できる。更に、着用者が横向きに寝たとき、第２壁部の伸縮領域以外の領域が、第２壁部の伸縮領域を支えることで、伸縮領域の起立形状を維持するため、排泄液が第２壁部を超え難くすることが出来る。
【００２７】
本発明の更に別の態様（態様１０）では、上記態様１乃至８のいずれかの尿取りパッドにおいて、前記尿取りパッドは包装時に、前記長手方向の複数の折り位置で、前記幅方向に延びる折り線に沿って、折り畳まれており、前記複数の折り位置のうち、最も前記腹部領域側の折り位置は、前記第２接合部の前記接合延設部の前記長手方向の内方側端縁よりも内方側にある。
【００２８】
本尿取りパッドでは、最も腹部領域側の折り位置は、第２接合部の接合延設部の長手方向の内方側端縁よりも内方側にある。すなわち、折り位置が第１接合部及び第２接合部と重なっていない。そのため、折り畳まれた尿取りパッドを解放したとき、第１壁部及び第２壁部に、横漏れの生じ易い折り目が付くことがなく、第２接合部（接合延設部）による横漏れ防止機能を有効に発揮できる。
【発明の効果】
【００２９】
本発明によれば、長手方向における弾性部材が伸縮可能な範囲を狭くしつつ、弾性部材が伸縮可能な範囲と弾性部材が存在しない又は伸縮しない範囲との境界領域における横漏れを抑制することが可能な尿取りパッドを提供することができる。
【図面の簡単な説明】
【００３０】
【図１】図１は、本発明の一実施形態に係る尿取りパッド１の展開した状態における平面図である。
【図２】図２は、尿取りパッド１における図１のＩＩ−ＩＩ線に沿った断面の自然状態における端面図である。
【図３】図３は、尿取りパッド１における図１のＩＩＩ−ＩＩＩ線に沿った断面の自然状態における端面図である。
【図４】図４は、尿取りパッド１における図１のＩＶ−ＩＶ線に沿った断面の自然状態における端面図である。
【図５】図５は、尿取りパッド１における図１のＶ−Ｖ線に沿った断面の自然状態における端面図である。
【図６】図６は、尿取りパッド１における図１のＶＩ−ＶＩ線に沿った断面の自然状態における端面図である。
【図７】図７は、尿取りパッド１の斜視図である。
【発明を実施するための形態】
【００３１】
以下、本発明の吸収性物品の好適な実施形態について、図面を参照しながら詳細に説明する。なお、本明細書においては、特に断りのない限り、「展開した状態で水平面上に置いた対象物（例示：吸収性物品、吸収本体部、吸収体、等、以下同じ）を、垂直方向の上方側（対象物が吸収性物品、吸収本体部の場合は表面シート側）から対象物の厚さ方向に見ること」を、単に「平面視」という。ここで、「展開した状態」とは、水平面上に置いた対象物を、水平面に沿うように伸長させた状態を意味し、さらに、当該伸長させた状態から伸長を解除した状態（例示：対象物が弾性部材等により一定程度収縮した状態、等）を、「自然状態」という。
【００３２】
本明細書において用いられる各種方向等については、特に断りのない限り、以下のとおりである。
「長手方向」は「平面視における縦長の対象物の長さの長い方向」を指し、「幅方向」は「平面視における縦長の対象物の長さの短い方向（短手方向）」を指し、「厚さ方向」は「展開した状態で水平面上に置いた対象物に対して垂直方向」を指す。これらの長手方向、幅方向及び厚さ方向は、それぞれ互いに直交する関係にある。なお、吸収性物品の長手方向、幅方向及び厚さ方向は、当該吸収性物品を構成する吸収本体部、吸収体の長手方向、幅方向及び厚さ方向にそれぞれ対応する。
更に、「対象物の長手方向の中央に位置し、幅方向に延びる仮想線」を、「長手方向中央軸線ＣＷ」という。「長手方向中央軸線ＣＷに対して相対的に近位側」を「長手方向の内方側」といい、「長手方向中央軸線ＣＷに対して相対的に遠位側」を「長手方向の外方側」という。同様に、「対象物の幅方向の中央に位置し、長手方向に延びる仮想線」を、「幅方向中央軸線ＣＬ」という。「幅方向中央軸線ＣＬに対して相対的に近位側」を「幅方向の内方側」といい、「幅方向中央軸線ＣＬに対して相対的に遠位側」を「幅方向の外方側」という。
また、「吸収性物品、吸収本体部又は吸収体の長手方向において、吸収性物品の着用時に着用者の腹部に対応する領域」を「腹部領域」という。「吸収性物品、吸収本体部又は吸収体の長手方向において、吸収性物品の着用時に着用者の背部乃至臀部に対応する領域」を「背部領域」という。「吸収性物品又は吸収本体部の長手方向において、腹部領域と背部領域との間に位置する領域であって、吸収性物品の着用時に着用者の股間部に対応する領域」を「股間部領域」という。ここで、「着用時」とは、着用者が吸収性物品を着用した時点（すなわち使用可能な状態を形成した時点）から、その状態を維持している間（着用している間）を意味する。
また、吸収性物品、吸収本体部又は吸収体の厚さ方向において、「吸収性物品の着用時に、着用者の肌面に対して相対的に近位側」を「肌対向面側」といい、「吸収性物品の着用時に、着用者の肌面に対して相対的に遠位側」を「非肌対向面側」という。なお、吸収性物品及び各種構成部材（例示：吸収本体部、表面シート、吸収体、裏面シート、サイドシート等）の「肌対向面側の表面」及び「非肌対向面側の表面」を、それぞれ単に「肌対向面」及び「非肌対向面」ということがある。
【００３３】
図１は本発明の一実施形態に係る尿取りパッド１の展開した状態における平面図である。図２〜図６はそれぞれ尿取りパッド１における図１のＩＩ−ＩＩ線〜ＶＩ−ＶＩ線に沿った断面の自然状態における端面図である。図７は尿取りパッド１の斜視図である。
図１に示すように、本発明の一実施形態に係る尿取りパッド１は、平面視にて、長手方向Ｌ及び幅方向Ｗを有する縦長の外形形状を有し、具体的には、長手方向Ｌの略中央部分（すなわち、股間部領域ＡＣに対応する部分）が幅方向Ｗの内方側に向かって細く括れた略砂時計形の外形形状を有している。なお、本発明において、吸収性物品の外形形状は、このような態様に限定されず、長手方向Ｌの長さ寸法が幅方向Ｗの幅寸法よりも長い長形状のものであれば、各種用途等に応じた任意の縦長の形状（例示：長方形、楕円形、オーバル形、瓢箪形、等）を採用することができる。なお、尿取りパッド１の長手方向Ｌ、幅方向Ｗ及び厚さ方向Ｔの各々は、尿取りパッド１を構成する各部材に対しても同様に用いるものとする。
【００３４】
本実施形態の尿取りパッド１は、図１に示すように、吸収本体部２と、一対のサイドシート４、４（防漏壁部）と、によって構成されている。吸収本体部２は、長手方向Ｌにおいて腹部領域ＡＦ、股間部領域ＡＣ及び背部領域ＡＢを有し、吸収体２１を備えている。一対のサイドシート４、４は、吸収本体部２の幅方向Ｗの両端部の各々に位置し、長手方向Ｌの両端部にわたって連続的に延在している。この場合、股間部領域ＡＣにおける長手方向Ｌの両端縁は、腹部領域ＡＦ及び背部領域ＡＢの吸収本体部２が幅方向Ｗに括れ始める位置とする。腹部領域ＡＦ、股間部領域ＡＣ及び背部領域ＡＢの長手方向長さの比は着用者の年齢や性別により種々変更され得るが、例えば２５〜３５：３０〜４０：３５〜４５が挙げられる。
【００３５】
吸収本体部２は、図１〜図６に示すように、厚さ方向Ｔにおいて、肌対向面側に位置する液透過性の表面シート２２と、非肌対向面側に位置する液不透過性の裏面シート２３と、これらのシートの間に位置し、尿などの排泄液を吸収して保持し得る吸収体２１と、を備えている。吸収体２１は、本実施形態では、肌対向面側に位置する第１吸収層２１Ａと、非肌対向面側に位置する第２吸収層２１Ｂと、を含んでいる。吸収本体部２は、着用者から排出された尿などの排泄液を、厚さ方向Ｔに浸透させながら吸収体２１にて吸収及び保持し得るように構成されている。
【００３６】
一対のサイドシート４、４（防漏壁部）は、図１〜図６に示すように、吸収本体部２（の表面シート２２）の肌対向面側において吸収本体部２に対向し、吸収本体部２の幅方向Ｗにおける両端部の各々に位置し、長手方向Ｌの両端部（すなわち長手方向Ｌにおける腹部領域側端部及び背部領域側端部）にわたって連続的に延在するように配置されている。更に、一対のサイドシート４、４の各々は、吸収本体部２の幅方向Ｗの内方側に位置し、吸収本体部２の肌対向面側の表面に接合されていない自由端部と、吸収本体部２の幅方向Ｗの外方側に位置し、吸収本体部２の肌対向面側の表面に接合された固定端部と、を有している。このような一対のサイドシート４、４の各々は、尿取りパッド１の着用時に、自由端部である幅方向Ｗの内方側における端縁（すなわち幅方向Ｗの内方側端縁）が肌対向面側に向かって起立し、着用者から排出される尿などの排泄液の横漏れを防ぐ防漏壁として機能する一対の防漏壁部４０、４０を形成することができる。
【００３７】
一対のサイドシート４、４の各々は、図１に示すように、幅方向Ｗの内方側端縁部近傍に、複数本の弾性部材ＥＬが長手方向Ｌに沿って配置されている。弾性部材ＥＬは、一対のサイドシート４、４、ひいては尿取りパッド１を長手方向Ｌに収縮させて、一対のサイドシート４、４の各々の幅方向Ｗの内方側端縁の起立を促す。本実施形態では、複数本の弾性部材ＥＬは、一対の防漏壁部４０、４０の各々において、平面視にて、長手方向Ｌに延び、幅方向Ｗにおける自由端部と固定端部との間に並ぶように配置されている。複数本の弾性部材ＥＬは、長手方向において、一対の防漏壁部４０、４０の略中央部分、具体的には概ね腹部領域ＡＦの内方側の端部から、股間部領域ＡＣを含み、背部領域ＡＢの内方側の端部までの範囲に配置されている。ただし、弾性部材ＥＬは、弾性部材の中でも弾性力を有する部分のことをいい、弾性力を有する部分に連なる部分であるが、弾性力を有さない部分は弾性部材ＥＬには含まないものとする。弾性力を有さない部分としては、例えば接着剤等でシートに固定され、伸縮できない状態の部分が挙げられる。本実施形態では、弾性部材ＥＬとして、一対の防漏壁部４０、４０の各々の幅方向Ｗの内方側に２本の弾性部材ＥＬ１、ＥＬ１、外方側に１本の弾性部材ＥＬ３、両者の間に２本の弾性部材ＥＬ２、ＥＬ２がそれぞれ配置されている。
【００３８】
本実施形態の尿取りパッド１において、一対のサイドシート４、４によって形成される一対の防漏壁部４０、４０の各々は、図２〜図６に示すように、基部４１と、第１壁部４２と、第２壁部４３と、を有する。基部４１は、吸収本体部２に対向し、少なくとも幅方向Ｗの外方側端縁が吸収本体部２に固定されている。第１壁部４２は、基部４１の肌対向面側において基部４１の幅方向Ｗにおける内方側端縁に連接し、着用時に肌対向面側に向かって起立する（具体的には、長手方向Ｌの内方側の部分が肌対向面側に向かって起立する）。第２壁部４３は、第１壁部４２の肌対向面側において第１壁部４２の幅方向Ｗにおける外方側端縁と連接し、着用時に肌対向面側に向かって起立する（具体的には、長手方向Ｌの内方側の部分が肌対向面側に向かって起立する）。
【００３９】
一対の防漏壁部４０、４０の各々は、図１及び図５に示すように、少なくとも腹部領域ＡＦに（好ましくは背部領域ＡＢにも）第１接合部４４と第２接合部４５とを含んでいる。本実施形態では、第１接合部４４は、基部４１と第１壁部４２を接合し（具体的には、基部４１と第１壁部４２の各々の長手方向Ｌにおける外方側の部分とを接合し）、所定の幅方向長さを有し、長手方向Ｌにおいて防漏壁部４０の端縁から内方側へ延設されている。第２接合部４５は、第１壁部４２と第２壁部４３とを接合し（具体的には、第１壁部４２と第２壁部４３の各々の長手方向Ｌにおける外方側の部分とを接合し）、所定の幅方向長さを有し、長手方向Ｌにおいて防漏壁部４０の端縁から内方側へ延設されている。本実施形態では、第１接合部４４及び第２接合部４５の各々の長手方向Ｌの外方側の端縁、すなわち防漏壁部４０の長手方向Ｌの端縁は、サイドシート４の長手方向Ｌの端縁である。
【００４０】
第２接合部４５は、接合本体部４５ｉと接合延設部４５Ｏとを含んでいる。接合本体部４５ｉは、長手方向Ｌにおいて防漏壁部４０の端縁側の部分である。接合延設部４５Ｏは、接合本体部４５ｉにおける幅方向Ｗの外方側の部分であり、接合本体部４５ｉの長手方向Ｌの内方側端縁から長手方向Ｌの内方側の股間部領域ＡＣの途中の位置まで、所定長手方向長さで延設されている。接合本体部４５ｉの幅方向長さ（すなわち第２接合部４５における長手方向Ｌの外方側の幅方向長さ）に対する、接合延設部４５Ｏの幅方向長さ（すなわち第２接合部４５における長手方向Ｌの内方側の幅方向長さ）の割合は、例えば３０％〜７０％が挙げられる。この範囲にすることで、第２壁部４３の剛性を高める等の接合延設部４５Ｏの機能を十分に発揮することができる。また、第２壁部４３の幅方向長さに対する、第２接合部４５の幅方向長さ（すなわち接合本体部４５ｉの幅方向長さ）の割合は、例えば３０％〜８０％が挙げられる。この範囲にすることで、第２接合部４５の機能を十分に発揮することができる。この場合、接合延設部４５Ｏの長手方向Ｌの内方側端縁４５ＥＯは、接合本体部４５ｉの長手方向Ｌの内方側端縁４５Ｅｉよりも長手方向Ｌの内方側にある。
【００４１】
複数本の弾性部材ＥＬは、平面視にて、長手方向Ｌの一方の端部が、長手方向Ｌにおいて腹部領域ＡＦにおける接合本体部４５ｉの内方側の端縁４５Ｅｉ又はその内方側の位置にある。また、長手方向Ｌの他方の端部は、背部領域ＡＢ内の所定の位置にある。
【００４２】
第２壁部４３は、長手方向Ｌに延在する伸縮可能な伸縮領域ＳＥと、伸縮領域ＳＥの長手方向Ｌの両外側に位置する伸縮不可能な非伸縮領域ＳＵと、を有している。伸縮領域ＳＥと非伸縮領域ＳＵとは、複数本の弾性部材ＥＬのうちの第２壁部４３に位置する弾性部材ＥＬ１、ＥＬ２及び第２接合部４５によって、長手方向Ｌに形成されている。すなわち、伸縮領域ＳＥは、長手方向Ｌに弾性部材ＥＬが配置されていることで、長手方向に伸縮可能な領域である。一方、非伸縮領域ＳＵは、長手方向Ｌに弾性部材ＥＬが配置されていない、及び／又は、長手方向Ｌに弾性部材ＥＬが配置されているが、接着剤などの接合部により固定化されていることで伸縮不可能な領域である。ただし、伸縮不可能な領域とは、伸縮可能な領域と比べて、同じ荷重に対する伸縮の程度が低い領域であり、好ましくは元の長さの５％以下しか伸縮しない領域をいう。
【００４３】
第２壁部４３、延いては防漏壁部４０において、非伸縮領域ＳＵから伸縮領域ＳＥにわたる領域は、伸縮の程度が急激に変わる境界の領域であるから境界領域ＢＡということができる。ここでは境界領域ＢＡは、非伸縮領域ＳＵと伸縮領域ＳＥとの境界を基準に、長手方向Ｌの内方側及び外方側に、伸縮領域ＳＥの長手方向長さの所定割合の長さの範囲である。境界領域ＢＡは、本実施形態では伸縮領域ＳＥの長手方向長さの５〜２０％の範囲をいう。言い換えると、境界領域ＢＡは、非伸縮領域ＳＵと伸縮領域ＳＥとの境界から非伸縮領域ＳＵ側に５〜２０％の長さ、伸縮領域ＳＥ側に５〜２０％の長さの範囲である。その境界領域ＢＡに対応する吸収本体部２の部分、すなわち境界部分は、弾性部材ＥＬの両端部近傍にて弾性部材ＥＬの伸縮を支える部分である。したがって、その吸収本体部２の境界部分には、弾性部材ＥＬの伸縮、すなわち伸縮領域ＳＥの伸長によりに大きな力が加わることになる。
【００４４】
本実施形態では、接合延設部４５Ｏは、第２接合部４５の幅方向Ｗの外方側の部分から長手方向Ｌの内方側へ向かって延設され、すなわち非伸縮領域ＳＵ（の接合本体部４５ｉ）から伸縮領域ＳＥにわたって延設されている。言い換えると、接合延設部４５Ｏは、境界領域ＢＡに架け渡されるように延設されている。本実施形態では、接合延設部４５Ｏは、伸縮領域ＳＥにおける幅方向Ｗの外方側において、長手方向Ｌの内方側に向かって所定長手方向長さ延設されている。ただし、所定長手方向長さは、接合本体部４５ｉの内方側端縁４５Ｅｉから伸縮領域ＳＥ内の境界領域ＢＡの端縁までの長手方向長さであり、好ましくは伸縮領域ＳＥ内の境界領域ＢＡの端縁を内方側に超える長さである。本実施形態では、所定長手方向長さのうち、伸縮領域ＳＥ内の長さが、伸縮領域ＳＥの長手方向長さの５〜２０％、好ましくは１０〜１５％の範囲の長さである。所定長手方向長さがこの範囲にあると、第２壁部４３の剛性を高める等の接合延設部４５Ｏの機能を十分に発揮することができる。本実施形態では、複数本の弾性部材ＥＬのうちの第２壁部４３の弾性部材ＥＬ２は、長手方向Ｌに延出した接合延設部４５Ｏと重なっている。ただし、接合延設部４５Ｏは、弾性部材ＥＬを完全に固定して、完全に伸縮できない状態にする必要はなく、ある程度の伸縮が可能な、いわば半固定な状況であってもよい。そして、伸縮領域ＳＥでは、幅方向Ｗの内方側の部分の長手方向長さが、幅方向Ｗの外方側の部分の長手方向長さよりも長くなっている。
【００４５】
吸収体２１は、図１に示すように、平面視にて、吸収本体部２内に配置されている。具体的には、吸収体２１の長手方向Ｌにおける腹部領域側端縁２１Ｅ２は（好ましくは背部領域側端縁２１Ｅ１についても、第２接合部４５の接合本体部４５ｉのうち長手方向Ｌの最も内方側に位置する内方側端縁４５Ｅｉよりも長手方向Ｌの外方側に位置する。また、吸収体２１の幅方向Ｗにおける両端縁（すなわち、幅方向Ｗにおける一方側端縁２１Ｅ３及び他方側端縁２１Ｅ４）が、腹部領域ＡＦ（好ましくは背部領域ＡＢにおいても）基部４１の幅方向Ｗにおける内方側端縁よりも幅方向Ｗの外方側に位置する。
【００４６】
次に、本尿取りパッド１の作用について図１〜図７を参照して説明する。図７は尿取りパッド１の斜視図である。本尿取りパッド１では、第２壁部４３の伸縮領域ＳＥにおいて、複数本の弾性部材ＥＬ１、ＥＬ２が長手方向Ｌに延び、幅方向Ｗに並ぶように配置されると共に、第２壁部４３の接合延設部４５Ｏが伸縮領域ＳＥの幅方向Ｗの外方側の部分を所定長手方向長さだけ固定又は半固定している。したがって、伸縮領域ＳＥでは、幅方向Ｗの外方側の部分の長手方向長さが、幅方向Ｗの内方側の部分の長手方向長さよりも実質的に短くされている。このような構成により、第２壁部４３の伸縮領域ＳＥにおいて、幅方向Ｗの外方側の部分を長手方向Ｌに短い範囲で伸縮させ、内方側の部分を長手方向Ｌに長い範囲で伸縮させることができる。それにより、第２壁部４３を厚さ方向Ｔに、より起立し易くできる。
更に、第２接合部４５の接合延設部４５Ｏが、腹部領域ＡＦ側の非伸縮領域ＳＵから股間部領域ＡＣ側の伸縮領域ＳＥにわたって延設されている。このような構成により、第２壁部４３における接合延設部４５Ｏが存在する領域、すなわち非伸縮領域ＳＵから伸縮領域ＳＥにわたる領域、すなわち境界領域ＢＡにおいて、その剛性を相対的に高くすることができる。それにより、図７に示すように、吸収本体部２が厚さ方向Ｔの上方側から下方側へ曲がる変形が吸収本体部２の境界領域ＢＡに対応する境界部分生じても、第２壁部４３の境界領域ＢＡの変形を抑制することができる。そのため、防漏壁部４０の肌対向面が肌面に接触する力が弱くなったり、防漏壁部４０の第２壁部４３の肌対向面側の表面と肌面との間に隙間が生じるたりする、という事態を抑制でき、よって境界領域ＢＡでの排泄液Ｐの横漏れを抑制できる。
更に、第２接合部４５の接合延設部４５Ｏが、腹部領域ＡＦ側の非伸縮領域ＳＵから股間部領域ＡＣ側の伸縮領域ＳＥにわたって延設されつつ、第２壁部４３を第１壁部４２に接合させている。このような構成により、図３に示すように、第２壁部４３における境界領域ＢＡにおいて、第２壁部４３の肌対向面側の表面が、吸収本体部２の肌対向面側の表面と略平行となる面状の形態を維持することができる。したがって、第２壁部４３の肌対向面側の表面と肌面との接触確率を増加できる。それにより、構造上、起立の程度が小さい境界領域ＢＡにおいて、仮に剛性を高めた第２壁部４３が変形して、防漏壁部４０が肌面に接触する力が弱くなったり、部分的に肌面との間に隙間が生じたりしてしまっても、第２壁部４３の肌対向面側の表面と肌面とがほぼ面で接触するので、図7に示すように、排泄液Ｐが面を横断する間に面のいずれかの箇所で排泄液Ｐの移動を阻止することができる。よって、境界領域ＢＡでの排泄液の横漏れを抑制できる。
このように、防漏壁部４０において、第２壁部４３をより適切に起立し易くして横漏れを抑制しつつ、第２壁部４３の隙間の発生を抑えて肌面に沿い易くすると共に、第２壁部４３を肌面に面で接触させて接触確率を上げることで、横漏れを更に抑制できる。
【００４７】
なお、本実施形態の尿取りパッド１においては、好ましい態様として、一対の防漏壁部４０、４０の各々が、腹部領域ＡＦにおける第１接合部４４及び第２接合部４５と同様の構成を、背部領域ＡＢにも備えている。すなわち、一対の防漏壁部４０、４０の各々は、腹部領域ＡＦに、第１接合部４４と同様の第３接合部（以下、「第３接合部４４」と記す。）と、第２接合部４５と同様の第４接合部（以下、「第４接合部４５」と記す。）と、を更に備えている。第３接合部４４は、背部領域ＡＢにおいて、基部４１と第１壁部４２を接合し、所定の幅方向長さを有し、長手方向Ｌにおいて防漏壁部４０の端縁から内方側へ延び、腹部領域ＡＦの第１接合部と長手方向Ｌに対向する。第４接合部４５は、背部領域ＡＢにおいて、第１壁部４２と第２壁部４３とを接合し、所定の幅方向長さを有し、長手方向Ｌにおいて防漏壁部４０の端縁から内方側へ延び、腹部領域ＡＦの第２接合部４５と長手方向Ｌに対向する。第４接合部４５は、長手方向Ｌにおいて防漏壁部４０の端縁側に位置する背部接合本体部４５ｉと、背部接合本体部４５ｉにおける幅方向Ｗの外方側の部分から長手方向Ｌの内方側に延設された背部接合延設部４５Ｏと、を含んでいる。複数本の弾性部材ＥＬは、平面視にて、長手方向Ｌにおいて背部領域ＡＢにおける背部接合本体部４５ｉの内方側の端縁４５Ｅｉ又はその内方側の位置から腹部領域ＡＦに延びている。そして、背部接合延設部４５Ｏは、背部領域ＡＢ側の伸縮領域ＳＥの幅方向Ｗの外方側において、長手方向Ｌの内方側に向かって、所定長手方向長さ延設されている。
【００４８】
上記構成を有することにより、本尿取りパッド１では、腹部領域ＡＦ側だけでなく背部領域ＡＢ側においても、第２壁部４３の伸縮領域ＳＥにおいて、幅方向Ｗの外方側の部分を長手方向Ｌに短い範囲で伸縮させ、内方側の部分を長手方向Ｌに長い範囲で伸縮できる。それにより、第２壁部４３を厚さ方向Ｔに、より適切に起立し易くすることができる。また、背部領域ＡＢ側において、境界領域ＢＡの剛性を相対的に高くでき、それにより、吸収本体部２が厚さ方向Ｔに上方側から下方側へ曲がる変形が吸収本体部２の境界領域ＢＡに対応する境界部分に生じても、第２壁部４３の境界領域ＢＡの変形を抑制することができる。それにより、防漏壁部４０の肌対向面が肌面に接触する力が弱くなったり、防漏壁部４０の第２壁部４３の肌対向面側の表面と肌面との間に隙間が生じたりすることを抑制でき、よって境界領域ＢＡでの排泄液の横漏れを抑制できる。更に、背部領域ＡＢにおいて、構造上、起立が小さい境界領域ＢＡにおいて、仮に剛性を高めた第２壁部４３が変形して防漏壁部４０が肌面に接触する力が弱くなったり、部分的に肌面との間に隙間が生じてしまったりしても、第２壁部４３の肌対向面側の表面と肌面とがほぼ面で接触するので、排泄液が面を横断する間に面のいずれかの箇所で排泄液の移動を阻止することができる。よって、境界領域ＢＡでの排泄液の横漏れを抑制できる。このように、防漏壁部４０では、腹部領域ＡＦ側だけでなく背部領域ＡＢ側においても、第２壁部４３をより適切に起立し易くして横漏れを抑制しつつ、第２壁部４３の隙間の発生を抑えて肌面に沿いやすくすると共に、第２壁部４３を肌面に面で接触させて接触確率を上げることで、横漏れを更に抑制することができる。
【００４９】
以下、本発明の吸収性物品を構成する各種部材について、上述の実施形態に係る尿取りパッド１を用いて更に詳細に説明する。
【００５０】
＜吸収本体部＞
本発明の一実施形態に係る尿取りパッド１において、吸収本体部２は、図１に示すように、尿取りパッド１の平面視形状となる縦長の外形形状（すなわち長手方向Ｌの股間部領域ＡＣに対応する部分が幅方向Ｗの内方側に向かって細く括れた略砂時計形の外形形状）を有している。なお、本発明において、吸収本体部の外形形状は、本実施形態のような態様に限定されず、長手方向の長さ寸法が幅方向の幅寸法よりも長い長形状のものであれば、各種用途等に応じた任意の縦長の形状（例えば、長方形、楕円形、瓢箪形など）を採用することができる。また、本発明において、吸収本体部の長手方向長さ、幅方向長さ、厚さ方向長さ（厚み）等の各種寸法は、吸収本体部として所定の吸収性や柔軟性、着用者の身体形状への適合性等を有するものであれば特に制限されず、着用対象者のサイズや性別、吸収対象物、用途などに応じた任意の寸法を採用することができる。
【００５１】
吸収本体部２は、図１〜図６に示すように、厚さ方向Ｔにおいて、肌対向面側に位置する液透過性の表面シート２２と、非肌対向面側に位置する液不透過性の裏面シート２３と、これら各シートの間に位置し且つ尿などの排泄液を吸収及び保持可能な２層の吸収層（第１吸収層２１Ａ及び第２吸収層２１Ｂ）を含む吸収体２１とを、主な構成部材として備えている。本実施形態では、吸収本体部２は、更に、裏面シート２３の肌対向面側（吸収体２１と裏面シート２３との間）に、液不透過性のバックフィルム２４を備えている。
【００５２】
以下、本発明の尿取りパッド１における吸収本体部２に用い得る各種構成部材について、上述の実施形態に係るを用いて更に詳細に説明する。
【００５３】
［表面シート］
上述の実施形態において、吸収本体部２の肌対向面側に配置される表面シート２２は、図１〜図６に示すように、平面視にて、吸収本体部２における長手方向Ｌの腹部領域側端部から背部領域側端部にわたって延在するとともに、吸収本体部２内の吸収体２１の幅方向Ｗにおける一方側端縁２１Ｅ３近傍から他方側端縁２１Ｅ４近傍にわたって延在しており、全体として長手方向Ｌに長い縦長の略矩形状の外形形状を有している。なお、表面シートの寸法形状は、吸収体の肌対向面側の表面の大部分（例えば、吸収体の肌対向面側の表面面積の５０％を超える部分等）を覆うことができるものであれば特に制限されず、各種用途等に応じた任意の寸法形状のものを採用することができる。上述の実施形態において、表面シート２２は、図１〜図６に示すように、吸収本体部２の厚さ方向Ｔにおいて、着用者の肌面に直に接触し得る肌対向面側に配置され、着用者から排出される尿などの排泄液を当該表面シート２２の非肌対向面側に配置される吸収体２１へと迅速に移行させることができる液透過性シートによって構成されている。
【００５４】
本発明において、表面シートとして用い得る液透過性シートは、吸収性物品の表面シートとして用い得る諸特性（例えば、液透過性や肌触り、柔軟性、強度等）を有するものであれば特に制限されず、例えば、エアスルー不織布、スパンボンド不織布、ポイントボンド不織布等の不織布や織布などの繊維系シート；樹脂フィルムに複数の開孔を施した開孔フィルムなどを好適に用いることができる。なお、上述の繊維系シートは、界面活性剤により親水化処理が施されていてもよい。このような液透過性シートの中でも、液透過性や柔軟性、強度等に優れるという点から、繊維系シートを用いることが好ましく、更に、エアスルー不織布やスパンボンド不織布等の不織布を用いることがより好ましい。また、表面シートとして上述の繊維系シートを用いる場合、その構成繊維は特に制限されず、例えば、ポリエチレン、ポリプロピレン等のオレフィン系樹脂；ポリエチレンテレフタレート、ポリ乳酸等のポリエステル系樹脂などの熱可塑性樹脂からなる樹脂繊維を用いることができ、これらの樹脂は１種類の樹脂を単独で用いても、２種類以上の樹脂を併用してもよい。なお、樹脂繊維の構造も、特に制限されず、例えば、芯鞘型繊維等の複合繊維や異形断面型繊維、立体捲縮繊維などを用いてもよい。更に、上述の樹脂繊維は、例えば、界面活性剤や親水化剤等を用いた処理（例えば、繊維内部への界面活性剤の練り込み、繊維表面への界面活性剤の塗布等）などの親水化処理が施されていてもよく、また、消臭剤、抗菌剤などの任意の添加剤を含んでいてもよい。なお、これらの添加剤は、１種類の添加剤を単独で用いても、２種類以上の添加剤を併用してもよい。
【００５５】
本発明において、表面シートとして用い得る液透過性シートの坪量は、所定の液透過性、柔軟性及び強度を有するものであれば特に制限されず、例えば、５ｇ／ｍ２〜１００ｇ／ｍ２の範囲内であり、好ましくは１０ｇ／ｍ２〜５０ｇ／ｍ２の範囲内である。なお、液透過性シートの厚みは、液透過性シートが吸収性物品の表面シートとして機能し得るものであれば特に制限されず、所望の液透過性や柔軟性、強度等に応じた任意の厚みを採用できる。また、表面シートとして用い得る液透過性シートの構造は、所定の液透過性、柔軟性及び強度を有するものであれば特に制限されず、例えば、略平坦な構造を有するものや肌対向面側の表面に凹凸構造を有するものなどを好適に用いることができる。
【００５６】
［裏面シート］
上述の実施形態において、吸収本体部２の非肌対向面側に配置される裏面シート２３は、図１〜図６に示すように、平面視にて、吸収本体部２における長手方向Ｌの腹部領域側端部から背部領域側端部にわたって延在するとともに、吸収本体部２における幅方向Ｗの一方側端部から他方側端部にわたって延在している。そして、裏面シート２３は、全体として吸収本体部２と同様の縦長の外形形状（すなわち長手方向Ｌの股間部領域ＡＣに対応する部分が幅方向Ｗの内方側に向かって細く括れた略砂時計形の外形形状）を有している。なお、本発明の吸収性物品において、裏面シートの寸法形状は、少なくとも吸収体の非肌対向面側の表面の全面を覆うことができるものであれば特に制限されず、各種用途等に応じた任意の寸法形状のものを採用することができる。また、上述の実施形態において、裏面シート２３は、図１〜図６に示すように、吸収本体部２の厚さ方向Ｔの非肌対向面側に配置されて、着用者から排出される尿などの排泄液を外部に漏出させないように機能する液不透過性シートによって構成されている。
【００５７】
本発明では、裏面シートとして用い得る液不透過性シートは、吸収性物品の裏面シートとして用い得る諸特性（例示：液不透過性や柔軟性、強度、好ましくは通気性等）を有するものであれば特に制限されず、例えば、ポリエチレンやポリプロピレン等の樹脂フィルム；樹脂フィルムに不織布を貼り合わせた積層体；疎水性不織布や積層不織布（例示：ＳＭＳ不織布）等の不織布などを好適に用いることができる。なお、裏面シートとして上述の不織布を用いる場合、その不織布の種類は特に制限されず、例えば、スパンボンド不織布、ポイントボンド不織布、メルトブローン不織布、ＳＭＳ不織布などの任意の不織布を用いることができる。さらに、かかる不織布の構成繊維も特に制限されず、例えば、ポリエチレンやポリプロピレン等のポリオレフィン系樹脂；ポリエチレンテレフタレート等のポリエステル系樹脂などの熱可塑性樹脂からなる樹脂繊維を用いることができ、これらの樹脂は１種類の樹脂を単独で用いても、２種類以上の樹脂を併用してもよい。なお、樹脂繊維の構造も特に制限されず、例えば芯鞘型繊維等の各種複合繊維などを用いてもよい。
【００５８】
本発明において、裏面シートとして用い得る液不透過性シート（例えば、不織布等）の坪量は、所定の液不透過性（防漏性）及び強度を有するものであれば特に制限されず、例えば、５ｇ／ｍ２〜１００ｇ／ｍ２の範囲内であり、好ましくは１０ｇ／ｍ２〜５０ｇ／ｍ２の範囲内である。なお、液不透過性シートの厚みは、かかる液不透過性シートが吸収性物品の裏面シートとして機能し得るものであれば特に制限されず、所望の液不透過性や柔軟性、強度、通気性等に応じた任意の厚みを採用することができる。
【００５９】
また、上述の実施形態においては、図２〜図６に示すように、裏面シート２３の肌対向面側（吸収体２１と裏面シート２３との間）に、裏面シート２３と略同様の寸法形状を有する液不透過性のバックフィルム２４が配置されている。かかるバックフィルム２４は、ポリエチレン等の熱可塑性樹脂フィルムによって構成されており、裏面シート２３と同様に、着用者から排出される尿などの排泄液の透過を防止し、当該排泄液が着用者の着衣等へ漏れ出ないように機能するものである。なお、吸収性物品がこのようなバックフィルムを備えていると、尿などの排泄液の漏出をより効果的に抑制することができるが、かかるバックフィルムは、本発明の吸収性物品においては必須の構成要素ではないため、本発明の吸収性物品は、このようなバックフィルムを備えていなくてもよい。
【００６０】
［吸収体］
上述の実施形態において、吸収体２１は、図１に示すように、平面視にて、吸収本体部２の長手方向Ｌにおける腹部領域ＡＦ（具体的には、長手方向Ｌの腹部領域側端部近傍）から背部領域ＡＢ（具体的には、長手方向Ｌの背部領域側端部近傍）にわたり延在する。更に、吸収体２１は、吸収本体部２の幅方向Ｗにおける幅方向第１領域ＡＷ１（具体的には、幅方向Ｗの一方側端部近傍）から幅方向第２領域ＡＷ２（具体的には、幅方向Ｗの他方側端部近傍）にわたり延在する。全体として、吸収体２１は、長手方向Ｌに長く、長手方向Ｌの股間部領域ＡＣに対応する部分が幅方向Ｗの内方側に向かって細く括れた略砂時計形の外形形状を有している。なお、本発明の吸収性物品において、吸収体の寸法形状は、本実施形態の態様に限定されず、少なくとも長手方向の長さ寸法が吸収本体部の長手方向における腹部領域から背部領域にわたる程度に長い長形状のものであれば、各種用途等に応じた任意の縦長の形状（例えば、長方形、楕円形、瓢箪形など）を採用できる。上述の実施形態において、吸収体２１は、図１〜図６に示すように、吸収本体部２の厚さ方向Ｔにおいて表面シート２２と裏面シート２３との間（具体的には、表面シート２２とバックフィルム２４との間）に配置され、表面シート２２を透過してきた着用者の尿などの排泄液を吸収して保持するように機能する２層の吸収層（すなわち、第１吸収層２１Ａ及び第２吸収層２１Ｂ）によって構成されている。
【００６１】
これらの２層の吸収層は、吸収本体部２内において、相対的に肌対向面側に配置される第１吸収層２１Ａと、相対的に非肌対向面側に配置される第２吸収層２１Ｂとが、ホットメルト型接着剤等の任意の接合手段（不図示）によって接合され、一体化物として上述の吸収体２１を構成している。吸収体２１を構成する２層の吸収層のうち、第１吸収層２１Ａは、平面視にて、吸収本体部２の長手方向Ｌにおける腹部領域ＡＦ（具体的には、長手方向Ｌの腹部側端部近傍）から背部領域ＡＢ（具体的には、長手方向Ｌの背部側端部近傍）にわたって延在する。更に、第１吸収層２１Ａは、吸収本体部２の幅方向Ｗにおける幅方向第１領域ＡＷ１（具体的には、幅方向Ｗの一方側端部近傍）から幅方向第２領域ＡＷ２（具体的には、幅方向Ｗの他方側端部近傍）にわたって延在する。全体として、第１吸収層２１Ａは、長手方向Ｌに長く、長手方向Ｌの股間部領域ＡＣに対応する部分が幅方向Ｗの内方側に向かって細く括れた略砂時計形の外形形状を有する吸収性部材によって構成されている。なお、本実施形態においては、この第１吸収層２１Ａが、吸収体２１の平面視における外形形状を形成している。
【００６２】
一方、第２吸収層２１Ｂは、平面視にて、吸収本体部２の長手方向Ｌにおける腹部領域ＡＦ（具体的には、長手方向Ｌの腹部側端部近傍）から背部領域ＡＢ（具体的には、長手方向Ｌの背部側端部近傍）にわたって延在する。ただし、幅方向Ｗにおいては、当該幅方向Ｗの両端縁がそれぞれ第１吸収層２１Ａの幅方向Ｗの両端縁（幅方向Ｗにおける一方側端縁２１Ｅ３及び他方側端縁２１Ｅ４）よりも幅方向Ｗの内方側に位置するように延在する。全体として、第２吸収層２１Ｂは、長手方向Ｌに長い略矩形状の外形形状を有する吸収性部材によって構成されている。相対的に非肌対向面側に配置される第２吸収層２１Ｂをこのように形成することで、第１吸収層２１Ａ及び第２吸収層２１Ｂの幅方向Ｗの端縁部分における段差が着用者に感知され難くなっている。
【００６３】
本発明において、上述の吸収体を構成する第１吸収層及び第２吸収層として用い得る吸収性部材は、尿などの排泄液を吸収して保持することができるものであれば特に制限されず、当分野において公知の任意の吸収性部材を用いることができる。そのような吸収性部材としては、例えば、任意の吸収性材料によって構成される吸収コアを、親水性を有するティッシュ等のコアラップシートで覆ったものなどを用いることができる。さらに、上述の吸収コアを構成する吸収性材料としては、例えば、親水性繊維や高吸収性ポリマーなどを用いることができ、更に具体的には、粉砕パルプ、コットン、レーヨン、アセテート等のセルロース系繊維；アクリル酸ナトリウムコポリマー等の高吸収性ポリマーからなる粒状物などを用いることができる。これらの吸収性材料は、１種類の吸収性材料を単独で用いても、２種類以上の吸収性材料を併用してもよい。なお、第１吸収層と第２吸収層は、同じ構成の吸収性部材を用いても、異なる構成の吸収性部材を用いてもよい。
【００６４】
また、上述の実施形態において、第１吸収層２１Ａは、図１〜図３に示すように、平面視にて、少なくとも股間部領域ＡＣの幅方向Ｗの中央部（すなわち、長手方向Ｌに延びる幅方向中央軸線ＣＬと重複する部分）に、当該第１吸収層２１Ａを厚さ方向Ｔに貫通する貫通孔２１ＡＳを備えている。更に、第２吸収層２１Ｂも、図１〜図２に示すように、股間部領域ＡＣの幅方向Ｗの中央部であって第１吸収層２１Ａの貫通孔２１ＡＳと厚さ方向Ｔに重複する位置に、平面視にて貫通孔２１ＡＳよりも小さい寸法形状を有し、第２吸収層２１Ｂを厚さ方向Ｔに貫通する貫通孔２１ＢＳを備えている。これらの貫通孔２１ＡＳ及び貫通孔２１ＢＳは、厚さ方向Ｔにおいて連通しており、全体として吸収体２１を厚さ方向Ｔに貫通し且つ当該厚さ方向Ｔにおいて開孔面積が段階的に異なる貫通孔を形成している。吸収体が、このような貫通孔を備えていると、排泄液の厚さ方向Ｔへの吸収を促すことができるため、より優れた吸収性能（特に、吸収速度）を発揮することができる。
【００６５】
本実施形態の尿取りパッド１においては、吸収体２１は、上述の実施形態のような２層の吸収層によって構成されている必要はなく、吸収体２１は、単層構造を有する吸収性部材によって構成されていても、３層以上の複層構造を有する吸収性部材によって構成されていてもよい。吸収体２１を構成する吸収層として用い得る吸収性部材の坪量や厚み等は、当該吸収性部材が尿取りパッド１の吸収体２１として機能し得る諸特性（例えば、吸収性、柔軟性等）を有するものであれば特に制限されず、任意の坪量及び厚み等を採用することができる。
【００６６】
また、上述の実施形態では、吸収体２１は、腹部領域ＡＦ及び背部領域ＡＢにおいて、吸収体２１の幅方向Ｗにおける両端縁（すなわち、幅方向Ｗの一方側端縁２１Ｅ３及び他方側端縁２１Ｅ４）が一対の防漏壁部の各々の第２接合部４５の幅方向Ｗにおける外方側端縁よりも幅方向Ｗの外方側に位置する部分を有するように配置されている。吸収体２１がこのように配置されていると、着用者が横向きに寝ているような場合（すなわち着用者から排出される排泄液が重力方向（具体的には、吸収本体部２の幅方向Ｗの外方側へ向かう方向）に流れ易いような場合）でも、幅方向Ｗの外方側に向かって流れる排泄液を吸収体２１によって着実に吸収でき、排泄液の横漏れを更に確実に防ぐことができる。
【００６７】
［エンボス部］
上述の実施形態において、吸収体２１は、長手方向Ｌに延びる幅方向中央軸線ＣＬによって区画される幅方向第１領域ＡＷ１及び幅方向第２領域ＡＷ２の各々に配置され且つ肌対向面から厚さ方向Ｔに窪む一対のエンボス部３、３を有している。かかる一対のエンボス部３、３の各々は、図１に示すように、股間部領域ＡＣにおいて、長手方向Ｌに延びる直線状の平面視形状を有しており、さらに、吸収体２１の厚さ方向Ｔにおいて、肌対向面側から窪みつつ、吸収体２１の二層の吸収層（第１吸収層２１Ａ及び第２吸収層２１Ｂ）が圧搾により一体化されている。なお、このようなエンボス部３は、加熱又は非加熱の任意のエンボス加工手段を用いて、第１吸収層２１Ａと第２吸収層２１Ｂとを肌対向面から厚さ方向Ｔに圧搾することにより形成することができる。
【００６８】
そして、本実施形態においては、一対のエンボス部３、３は、エンボス部３から基部４１の幅方向Ｗにおける内方側端縁までの幅方向長さ、第１壁部４２の幅方向長さ及び第２壁部４３の幅方向長さの合計長さが、上述の幅方向中央軸線ＣＬからエンボス部３まで（具体的には、エンボス部３の幅方向の中心線まで）の幅方向長さよりも長くなるように配置されている。一対のエンボス部３、３がこのように配置されていると、一対のエンボス部３、３が折れ曲がり起点となって、吸収体２１の幅方向中央軸線ＣＬに沿って延びる幅方向中央部が肌対向面側に向かって突出するように（すなわち、長手方向中央軸線ＣＷに沿った断面形状が略Ｗ字形となるように）吸収体２１が変形し易くなる上、上述の一対の防漏壁部４０、４０の起立高さが、肌対向面側に向かって突出する幅方向中央部の突出高さよりも高くなり易くなるため、吸収体２１の幅方向中央部における肌対向面を着用者の股間部に密着又は近接させて、着用者から排出される排泄液を吸収体２１に吸収させ易くすることができるとともに、排泄液の横漏れをより確実に防ぐことができる。なお、このような作用効果は、一対のエンボス部３、３が吸収体２１の折れ曲がり起点となり得るものであれば、上述の実施形態以外の態様でも同様に奏される。そのため、本発明において、一対のエンボス部３、３は、上述の実施形態のように、二層の吸収層（第１吸収層２１Ａ及び第２吸収層２１Ｂ）が一体化される場合に限定されず、例えば表面シート２２と二層の吸収層とが一体化されるように形成されていてもよい。
【００６９】
また、本発明において、エンボス部３の平面視形状は、特に制限されず、上述の実施形態のような直線状のほか、波線状、波線状、曲線状、ジグザグ状などの任意の形状を採用することができる。なお、本実施の形態では、エンボス部３を有していなくてもよい。
【００７０】
＜防漏壁部＞
上述の実施形態に係る尿取りパッド１において、一対の防漏壁部４０、４０は、吸収本体部２の幅方向Ｗの両端部の各々に位置し、長手方向Ｌの両端部にわたって連続的に延在する一対のサイドシート４、４によって形成される。なお、かかる一対のサイドシート４、４の各々には、幅方向Ｗの内方側端縁部近傍において、一対のサイドシート４、４を長手方向Ｌに収縮し得る５本の弾性部材ＥＬが配置されている。
【００７１】
以下、本発明の尿取りパッド１における一対の防漏壁部４０、４０を形成し得る各種構成部材について更に詳細に説明する。
【００７２】
［サイドシート］
上述の実施形態において、一対のサイドシート４、４は、吸収本体部２の肌対向面側（より具体的には、表面シート２２の肌対向面側）において、吸収本体部２の幅方向Ｗの両端部に配置され、尿取りパッド１の着用時には、幅方向Ｗにおける内方側端縁が起立して防漏壁として機能し得る、長手方向Ｌに長い一対の帯状の液不透過性シートによって形成されている。
【００７３】
本発明において、サイドシートとして用い得る帯状の液不透過性シートは、吸収性物品のサイドシートとして用い得る諸特性（例えば、液不透過性や肌触り、柔軟性、強度（特に、湿潤時強度）等）を有するものであれば特に制限されず、例えば、疎水性不織布（例えば、疎水性を有する又は疎水性が付与された、スパンボンド不織布、ポイントボンド不織布、ＳＭＳ不織布等）；液不透過性を有する合成樹脂製フィルム；これらの積層体などを用いることができる。
【００７４】
サイドシートとして用い得る帯状の液不透過性シートの外形形状や坪量、厚み等は、本発明の効果を阻害しない限り特に制限されず、所望の液不透過性や肌触り、柔軟性等に応じた任意の外形形状や坪量、厚み等を採用することができる。
【００７５】
本発明において、上述の第１接合部や第２接合部の接合部の形成に用い得る接合手段は、本発明の効果を阻害しない限り特に制限されず、例えば、ホットメルト型接着剤等の接着手段、超音波溶着等の溶着手段などの任意の接合手段を採用することができる。
【００７６】
そして、上述の実施形態では、第１接合部４４の長手方向Ｌにおける内方側端縁が、幅方向Ｗに沿って直線状に延びている。このように、第１接合部４４の長手方向Ｌにおける内方側端縁が幅方向Ｗに沿って直線状に延びていると、第１接合部４４の長手方向Ｌにおける内方側端縁を起点として起立する第１壁部４２及び第２壁部４３の起立構造が安定し易く、上述の第２壁部４３の機能をより着実に発揮させることができる。
【００７７】
［弾性部材］
上述の実施形態において、一対のサイドシート４、４の各々は、図１に示すように、幅方向Ｗの内方側端縁部近傍に、当該一対のサイドシート４、４を長手方向Ｌに収縮させて、幅方向Ｗの内方側端縁の起立を促すための５本（複数本）の弾性部材ＥＬが長手方向Ｌに沿って配置されている。
【００７８】
本発明において、一対のサイドシート４、４に配置される複数本の弾性部材ＥＬは、展開した状態の吸収本体部２（具体的には、一対のサイドシート４、４を介して吸収本体部２）に長手方向Ｌの収縮力を付与し得る材料であれば特に制限されず、例えば、天然ゴムからなる糸ゴムや平ゴム；ウレタン、エチレン−酢酸ビニル共重合体（ＥＶＡ）等の熱可塑性エラストマーを糸状又は帯状に成形したものなどの任意の弾性部材を利用できる。
【００７９】
本発明の尿取りパッド１に用い得る弾性部材ＥＬの寸法形状は、サイドシート４を介して展開した状態の吸収本体部２を長手方向Ｌに収縮し得るものであれば特に制限されず、尿取りパッド１の用途やサイズなどに応じた任意の寸法形状を採用することができる。そのような寸法形状としては、例えば、弾性部材ＥＬの長手方向長さが、尿取りパッド１の全長の１／４以上、好ましくは１／３以上であり、繊度が２００ｄｔｅｘ〜８００ｄｔｅｘの範囲内、好ましくは３００ｄｔｅｘ〜７００ｄｔｅｘの範囲内である。なお、弾性部材ＥＬの本数も、サイドシートを介して展開した状態の吸収本体部を長手方向に収縮し得るものであれば特に制限されず、弾性部材は、一対の防漏壁部の各々に、１本や２本、３本以上等の任意の本数ずつ配置することができる。
【００８０】
本実施形態の尿取りパッド１においては、好ましい態様として、吸収体２１が、平面視で、股間部領域ＡＣにおいて、吸収体２１の幅方向Ｗにおける両端縁（すなわち幅方向Ｗの一方側端縁２１Ｅ３及び他方側端縁２１Ｅ４）が幅方向Ｗの内方側に向かって括れた括れ部２５を有している。括れ部２５の腹部領域ＡＦ側の端部は、長手方向Ｌの位置が接合延設部４５Ｏの長手方向Ｌの範囲と重なる領域に位置している。本実施形態の場合、括れ部２５と股間部領域ＡＣとはほぼ一致しているので、括れ部２５の腹部領域ＡＦ側の端部は、股間部領域ＡＣの腹部領域ＡＦ側の端部である。
【００８１】
上記構成を有することにより、本尿取りパッド１では、厚さ方向Ｔに変形し易い括れ部２５の端部が、接合延設部４５Ｏに対応する位置に設けられている。ここで、第２壁部４３における接合延設部４５Ｏを接合された部分の剛性は相対的に高くなっている。したがって、括れ部２５の端部に変形が起きたとしても、第２壁部４３が変形することを抑制でき、第２壁部４３の肌対向面側の表面と肌面との間に隙間が生じることを抑制できる。それにより、第２壁部４３の肌対向面側の表面を肌面の曲面に沿うように緩やかに変形可能とすることができる。更に、吸収体２１が括れ部２５を有する形状を有していると、股間部領域ＡＣにおいて、吸収体２１による剛性への影響が小さく、上述の一対の防漏壁部４０、４０の変形及び移動の自由度が高くなる。そのため、着用者が尿取りパッド１を着用した際に、上述の一対の防漏壁部４０、４０を着用者の身体形状（股間部の形状）に追従させながら密着させることができる。したがって、このような外形形状を有する吸収体２１を備えた尿取りパッド１は、着用者の身体（股間部）と一対の防漏壁部４０、４０との間に隙間が形成され難いため、排泄液の横漏れをより確実に防ぐことができる。
【００８２】
本実施形態の尿取りパッド１において、好ましい態様として、複数本の弾性部材ＥＬのうちの第２壁部４３に位置する弾性部材ＥＬ１、ＥＬ２における腹部領域ＡＦ側の端部は、長手方向Ｌの位置が接合延設部４５Ｏの長手方向Ｌの範囲と重なる領域に位置する。
上記構成を有することにより、本尿取りパッド１では、弾性部材ＥＬ１、ＥＬ２の端部が長手方向Ｌにおける接合延設部４５Ｏよりも外方側にある場合と比較して、吸収本体部２又は吸収体２１が厚さ方向Ｔに上方側から下方側へ曲がるときの、曲がり具合を相対的に緩やかにすることができる。それにより、吸収本体部２における厚さ方向に曲がり得る部分において、第２壁部４３が変形して防漏壁部４０の第２壁部４３の肌対向面側の表面と肌面との間に隙間が生じることをより抑制し、第２壁部４３の肌対向面側の表面を肌面の曲面に沿うようにより緩やかに変形可能にできる。
【００８３】
本実施形態の尿取りパッド１においては、好ましい態様として、吸収体２１は、厚さ方向Ｔにおいて吸収体２１の表面から内部へ延び、長手方向Ｌに延設された開口部（貫通孔２１ＡＳ及び貫通孔２１ＢＳの少なくとも一つ）を有している。そして、それら開口部の少なくとも一部は、長手方向Ｌの位置が接合延設部４５Ｏの長手方向Ｌの範囲と重なる領域に位置している。
【００８４】
上記構成を有することにより、本尿取りパッド１では、剛性が低く、変形し易い、吸収体２１における開口部（貫通孔２１ＡＳ及び貫通孔２１ＢＳの少なくとも一つ）を含む部分の少なくとも一部が、接合延設部４５Ｏに対応する位置に設けられている。ここで、第２壁部４３における接合延設部４５Ｏを接合された部分の剛性は相対的に高くなっている。したがって、吸収体２１における開口部を含む部分に変形が起きたとしても、第２壁部４３が変形することを抑制でき、第２壁部４３の肌対向面側の表面と肌面との間に隙間が生じることを抑制できる。よって、第２壁部４３の肌対向面側の表面を肌面の曲面に沿うように緩やかに変形可能とすることができる。
【００８５】
本実施形態の尿取りパッド１においては、好ましい態様として、エンボス部３における長手方向Ｌの腹部領域ＡＦ側の端部は、長手方向Ｌの位置が接合延設部４５Ｏの長手方向Ｌの範囲と重なる領域に位置している。上記構成を有することにより、本尿取りパッド１では、エンボス部３と比較して剛性が低く、変形し易い、エンボス部３の長手方向Ｌの端部の外方側の部分が、接合延設部４５Ｏに対応する位置に設けられている。ここで、第２壁部３２における接合延設部４５Ｏを接合された部分の剛性は相対的に高くなっている。したがって、エンボス部３の長手方向Ｌの端部の外方側の部分に変形が起きたとしても、第２壁部４３が変形することを抑制でき、第２壁部４３の肌対向面側の表面と肌面との間に隙間が生じることを抑制できる。それにより、第２壁部４３の肌対向面側の表面を肌面の曲面に沿うように緩やかに変形可能とすることができる。
【００８６】
本実施形態の尿取りパッド１においては、好ましい態様として、伸縮領域ＳＥは、幅方向Ｗの内方側の部分の方が、幅方向Ｗの外方側の部分よりも縮み易い。例えば、伸縮領域ＳＥの弾性部材ＥＬは、幅方向Ｗの内方側の弾性部材ＥＬ１の方が、幅方向Ｗの外方側の弾性部材ＥＬ２よりも縮み易く形成されている。上記構成を有することにより、本尿取りパッド１では、第２壁部４３における幅方向Ｗの内方側の部分を幅方向の外方側の部分に対して起立させ易くできる。したがって、第２壁部４３を起立し易くでき、起立構造を維持し易くできる。
【００８７】
本実施形態の尿取りパッド１においては、好ましい態様として、一対の防漏壁部４０、４０の各々は、長手方向Ｌに沿って吸収本体部２に接合された固定端部と、幅方向Ｗにおける固定端部と反対に位置し、吸収本体部２に接合されていない自由端部とを有する。複数本の弾性部材ＥＬは、固定端側に位置する弾性部材ＥＬ３の長手方向長さが、自由端側に位置する弾性部材ＥＬ１の長手方向長さよりも長い。上記構成を有することにより、本尿取りパッド１では、防漏壁部４０の幅方向Ｗにおける外方側の部分においては、第１壁部４２及び第２壁部４３による起立構造を維持し易く、幅方向Ｗの外方側へ向かう排泄液に対する耐久性をより確保することができる。また、防漏壁部４０の幅方向Ｗにおける内方側部分においては、変形や移動の自由度が高く、防漏壁部４０を着用者の身体形状（股間部の形状）に追従させながら密着させ易くすることができる。これにより、本尿取りパッド１は、防漏壁部４０の防漏機能を良好に発揮させることができる。
【００８８】
本実施形態の尿取りパッド１においては、好ましい態様として、腹部領域ＡＦにおける第２接合部４５の長手方向長さと、背部領域ＡＢにおける第４接合部４５の長手方向長さと、の合計長さよりも、伸縮領域ＳＥの長手方向長さは小さい。上記構成を有することにより、本尿取りパッド１が着用時に収縮し過ぎることを抑制できる。更に、着用者が横向きに寝たとき、第２壁部４３の伸縮領域ＳＥ以外の領域が、第２壁部４３の伸縮領域ＳＥを支えることで、伸縮領域ＳＥの起立形状を維持するため、排泄液が第２壁部４３を超え難くすることが出来る。
【００８９】
本実施形態の尿取りパッド１においては、好ましい態様として、尿取りパッド１は包装時に、長手方向Ｌの複数の折り位置で、幅方向Ｗに延びる折り線に沿って、折り畳まれる。そして、複数の折り位置のうち、最も腹部領域ＡＦ側の折り位置は、第２接合部４５の接合延設部４５Ｏの長手方向Ｌの内方側端縁よりも内方側にある。すなわち、折り位置が第１接合部４４及び第２接合部４５と重なっていない。上記構成を有することにより、折り畳まれた尿取りパッド１を解放したとき、第１壁部４２及び第２壁部４３に、横漏れの生じ易い折り目が付くことがなく、第２接合部４５（接合延設部４５Ｏ）による横漏れ防止機能を有効に発揮できる。
【００９０】
また、上述の実施形態に係る尿取りパッド１においては、一対の防漏壁部（サイドシート）の各々に配置された５本（複数本）の弾性部材ＥＬは、図１に示すように、幅方向Ｗの外方側に位置する弾性部材ＥＬの長手方向長さが、全体として幅方向Ｗの内方側に位置する弾性部材ＥＬの長手方向長さよりも長く形成されている。このように、幅方向Ｗの外方側に位置する弾性部材ＥＬの長手方向長さが幅方向Ｗの内方側に位置する弾性部材ＥＬの長手方向長さよりも長く形成されていると、一対の防漏壁部４０、４０の幅方向Ｗにおける外方側部分においては、第１壁部４２及び第２壁部４３による起立構造を維持し易くなり、幅方向Ｗの外方側へ向かう排泄液に対する耐久性を更に確保することができる。特に、第１壁部４２の弾性部材ＥＬ３により、一対の防漏壁部４０、４０の幅方向Ｗにおける外方側部分においては、第１壁部４２及び第２壁部４３による起立構造をより維持し易く、幅方向Ｗの外側へ倒れる現象をより抑制できる。
【００９１】
さらに、上述の実施形態では、吸収体２１は、図１に示すように、腹部領域ＡＦにおいて吸収体２１の幅方向Ｗの長さが最も長い部分である幅広部２１Ｍと、腹部領域ＡＦ及び股間部領域ＡＣの境界部分において吸収体２１の幅方向Ｗの長さが幅広部２１Ｍの幅方向Ｗの長さ（すなわち、腹部領域ＡＦにおける吸収体２１の幅方向Ｗの最大長さ）よりも小さい幅狭部２１Ｎと、を有していて、当該幅狭部２１Ｎは、平面視にて上述の収縮領域と重複している。このように、腹部領域ＡＦ及び股間部領域ＡＣの境界部分において、吸収体２１の幅方向Ｗの長さが腹部領域ＡＦにおける吸収体２１の幅方向Ｗの最大長さよりも小さい幅狭部２１Ｎを有していると、当該幅狭部２１Ｎを有する部分の尿取りパッド１の剛性が相対的に低くなるため、尿取りパッド１を着用する際に、当該尿取りパッド１が、上述の幅狭部２１Ｎを有する部分を起点として肌対向面側の表面が凹むように曲がり易くなる。その上、かかる尿取りパッド１は、平面視にて、幅狭部２１Ｎが上述の収縮領域と重複しているため、当該尿取りパッド１を着用する際に、曲率の大きい腹部領域ＡＦと股間部領域ＡＣとの境界部分（すなわち、幅狭部２１Ｎと厚さ方向Ｔに重複する部分）において、防漏壁部の第２壁部４３の肌対向面側の表面が、図７に示すように、吸収本体部２の肌対向面側の表面と略平行な面状の形態を維持したまま、上述の防漏壁部が肌対向面側に向かって起立し易くなる。これにより、かかる尿取りパッド１は、着用する際に曲率が大きくなる部分（すなわち、腹部領域ＡＦと股間部領域ＡＣとの境界部分）の防漏壁部と、着用者の肌面との接触面積をより大きく確保することができる（換言すれば、防漏壁部と着用者の肌面との間に、隙間を形成し難くすることができる）ため、排泄液の横漏れを更に確実に防ぐことができる。
【００９２】
本発明の尿取りパッド１は、上述した実施形態に制限されることなく、本発明の目的、趣旨を逸脱しない範囲内において、適宜組み合わせや代替、変更等が可能である。なお、本明細書において、「第１」、「第２」等の序数は、序数が付された事項を区別するためのものであり、各事項の順序や優先度、重要度等を意味するものではない。
【符号の説明】
【００９３】
１    尿取りパッド
２    吸収本体部
２１    吸収体
４０    防漏壁部
４１    基部
４２    第１壁部
４３    第２壁部
４４    第１接合部
４５    第２接合部
４５ｉ    接合本体部
４５Ｏ    接合延設部
ＳＥ    伸縮領域
ＳＵ    非伸縮領域
ＥＬ    弾性部材
【図１】
2019010446.tif 000003
【図２】
2019010446.tif 000004
【図３】
2019010446.tif 000005
【図４】
2019010446.tif 000006
【図５】
2019010446.tif 000007
【図６】
2019010446.tif 000008
【図７】
2019010446.tif 000009
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
長手方向、幅方向及び厚さ方向を有し、前記長手方向において腹部領域、股間部領域及び背部領域を有し、吸収体を備える吸収本体部と、前記吸収本体部の前記幅方向の両端部の各々に位置し、前記長手方向の両端部に亘って連続的に延在する一対の防漏壁部と、を具備する尿取りパッドであって、
前記一対の防漏壁部の各々は、
前記吸収本体部に対向し、少なくとも前記幅方向の外方側端縁が前記吸収本体部に固定された基部と、
前記基部における前記幅方向の内方側端縁に連接し、着用時に肌対向面側に向かって起立する第１壁部と、
前記第１壁部における前記幅方向の外方側端縁と連接し、着用時に肌対向面側に向かって起立する第２壁部と、
前記腹部領域において、前記基部と前記第１壁部とを接合し、所定の幅方向長さを有し、前記長手方向において前記防漏壁部の端縁から内方側へ延びる第１接合部と、
前記腹部領域において、前記第１壁部と前記第２壁部とを接合し、所定の幅方向長さを有し、前記長手方向において前記防漏壁部の端縁から内方側へ延びる第２接合部であって、前記長手方向において前記防漏壁部の端縁側に位置する接合本体部と、前記接合本体部における前記幅方向の外方側の部分から前記長手方向の内方側に延設された接合延設部と、を含む第２接合部と、
平面視にて、前記長手方向において前記腹部領域における前記接合本体部の内方側の端縁又はその内方側の位置から前記背部領域に延び、前記幅方向に並ぶように配置された複数本の弾性部材と、
を備え、
前記第２壁部は、前記複数本の弾性部材のうちの前記第２壁部に位置する弾性部材が前記長手方向に延在する伸縮領域と、前記伸縮領域の前記長手方向の両外側に位置する非伸縮領域と、を有し、
前記接合延設部は、前記伸縮領域内部における前記幅方向の外方側の部分において、前記長手方向の内方側に向かって所定長手方向長さ延設されていて、
前記吸収体は、平面視で、前記股間部領域において、前記吸収体の前記幅方向における両端縁が前記幅方向の内方側に向かって括れた括れ部を有しており、
前記括れ部の前記腹部領域側の端部は、前記長手方向の位置が前記接合延設部の前記長手方向の範囲と重なる領域に位置している、
尿取りパッド。
【請求項２】
長手方向、幅方向及び厚さ方向を有し、前記長手方向において腹部領域、股間部領域及び背部領域を有し、吸収体を備える吸収本体部と、前記吸収本体部の前記幅方向の両端部の各々に位置し、前記長手方向の両端部に亘って連続的に延在する一対の防漏壁部と、を具備する尿取りパッドであって、
前記一対の防漏壁部の各々は、
前記吸収本体部に対向し、少なくとも前記幅方向の外方側端縁が前記吸収本体部に固定された基部と、
前記基部における前記幅方向の内方側端縁に連接し、着用時に肌対向面側に向かって起立する第１壁部と、
前記第１壁部における前記幅方向の外方側端縁と連接し、着用時に肌対向面側に向かって起立する第２壁部と、
前記腹部領域において、前記基部と前記第１壁部とを接合し、所定の幅方向長さを有し、前記長手方向において前記防漏壁部の端縁から内方側へ延びる第１接合部と、
前記腹部領域において、前記第１壁部と前記第２壁部とを接合し、所定の幅方向長さを有し、前記長手方向において前記防漏壁部の端縁から内方側へ延びる第２接合部であって、前記長手方向において前記防漏壁部の端縁側に位置する接合本体部と、前記接合本体部における前記幅方向の外方側の部分から前記長手方向の内方側に延設された接合延設部と、を含む第２接合部と、
平面視にて、前記長手方向において前記腹部領域における前記接合本体部の内方側の端縁又はその内方側の位置から前記背部領域に延び、前記幅方向に並ぶように配置された複数本の弾性部材と、
を備え、
前記第２壁部は、前記複数本の弾性部材のうちの前記第２壁部に位置する弾性部材が前記長手方向に延在する伸縮領域と、前記伸縮領域の前記長手方向の両外側に位置する非伸縮領域と、を有し、
前記接合延設部は、前記伸縮領域内部における前記幅方向の外方側の部分において、前記長手方向の内方側に向かって所定長手方向長さ延設されていて、
前記吸収体は、前記厚さ方向において前記吸収体の表面から内部へ延び、前記長手方向に延設された開口部を有し、
前記開口部の少なくとも一部は、前記長手方向の位置が前記接合延設部の前記長手方向の範囲と重なる領域に位置している、
尿取りパッド。
【請求項３】
長手方向、幅方向及び厚さ方向を有し、前記長手方向において腹部領域、股間部領域及び背部領域を有し、吸収体を備える吸収本体部と、前記吸収本体部の前記幅方向の両端部の各々に位置し、前記長手方向の両端部に亘って連続的に延在する一対の防漏壁部と、を具備する尿取りパッドであって、
前記一対の防漏壁部の各々は、
前記吸収本体部に対向し、少なくとも前記幅方向の外方側端縁が前記吸収本体部に固定された基部と、
前記基部における前記幅方向の内方側端縁に連接し、着用時に肌対向面側に向かって起立する第１壁部と、
前記第１壁部における前記幅方向の外方側端縁と連接し、着用時に肌対向面側に向かって起立する第２壁部と、
前記腹部領域において、前記基部と前記第１壁部とを接合し、所定の幅方向長さを有し、前記長手方向において前記防漏壁部の端縁から内方側へ延びる第１接合部と、
前記腹部領域において、前記第１壁部と前記第２壁部とを接合し、所定の幅方向長さを有し、前記長手方向において前記防漏壁部の端縁から内方側へ延びる第２接合部であって、前記長手方向において前記防漏壁部の端縁側に位置する接合本体部と、前記接合本体部における前記幅方向の外方側の部分から前記長手方向の内方側に延設された接合延設部と、を含む第２接合部と、
平面視にて、前記長手方向において前記腹部領域における前記接合本体部の内方側の端縁又はその内方側の位置から前記背部領域に延び、前記幅方向に並ぶように配置された複数本の弾性部材と、
を備え、
前記第２壁部は、前記複数本の弾性部材のうちの前記第２壁部に位置する弾性部材が前記長手方向に延在する伸縮領域と、前記伸縮領域の前記長手方向の両外側に位置する非伸縮領域と、を有し、
前記接合延設部は、前記伸縮領域内部における前記幅方向の外方側の部分において、前記長手方向の内方側に向かって所定長手方向長さ延設されていて、
前記吸収体は、前記長手方向に延びる幅方向中央軸線によって区画される幅方向第１領域及び幅方向第２領域の各々に配置され且つ肌対向面から前記厚さ方向に窪む一対のエンボス部を含み、
前記エンボス部における前記長手方向の前記腹部領域側の端部は、前記長手方向の位置が前記接合延設部の前記長手方向の範囲と重なる領域に位置している、
尿取りパッド。
【請求項４】
前記複数本の弾性部材のうちの前記第２壁部に位置する弾性部材における前記腹部領域側の端部は、前記長手方向の位置が前記接合延設部の前記長手方向の範囲と重なる領域に位置している、
請求項１乃至３のいずれか一項に記載の尿取りパッド。
【請求項５】
前記伸縮領域は、前記幅方向の内方側の部分の方が、前記幅方向の外方側の部分よりも縮み易い、
請求項１乃至４のいずれか一項に記載の尿取りパッド。
【請求項６】
前記一対の防漏壁部の各々は、前記長手方向に沿って前記吸収本体部に接合された固定端部と、前記幅方向における前記固定端部と反対に位置し、前記吸収本体部に接合されていない自由端部とを有し、
前記複数本の弾性部材は、前記固定端側に位置する弾性部材の長手方向長さが、前記自由端側に位置する弾性部材の長手方向長さよりも長い、
請求項１乃至５のいずれか一項に記載の尿取りパッド。
【請求項７】
前記一対の防漏壁部の各々は、
前記背部領域において、前記基部と前記第１壁部を接合し、所定の幅方向長さを有し、前記長手方向において前記防漏壁部の端縁から内方側へ延び、前記第１接合部と前記長手方向に対向する第３接合部と、
前記背部領域において、前記第１壁部と前記第２壁部とを接合し、所定の幅方向長さを有し、前記長手方向において前記防漏壁部の端縁から内方側へ延び、前記第２接合部と前記長手方向に対向する第４接合部であって、前記長手方向において前記防漏壁部の端縁側に位置する背部接合本体部と、前記背部接合本体部における前記幅方向の外方側の部分から前記長手方向の内方側に延設された背部接合延設部と、を含む第４接合部と、
を更に備え、
前記複数本の弾性部材は、平面視にて、前記長手方向において前記背部領域における前記背部接合本体部の内方側の端縁又はその内方側の位置から前記腹部領域に延びており、
前記背部接合延設部は、前記伸縮領域内部における前記幅方向の外方側の部分において、前記長手方向の内方側に向かって、所定長手方向長さ延設されている
請求項１乃至６のいずれか一項に記載の尿取りパッド。
【請求項８】
前記腹部領域における前記第２接合部の長手方向長さと、前記背部領域における前記第４接合部の長手方向長さと、の合計長さよりも、前記伸縮領域の長手方向長さは小さい、
請求項７に記載の尿取りパッド。
【請求項９】
前記尿取りパッドは包装時に、前記長手方向の複数の折り位置で、前記幅方向に延びる折り線に沿って、折り畳まれており、
前記複数の折り位置のうち、最も前記腹部領域側の折り位置は、前記第２接合部の前記接合延設部の前記長手方向の内方側端縁よりも内方側にある、
請求項１乃至８のいずれか一項に記載の尿取りパッド。